(57)【要約】【課題】場所的制約や時間的制約を生じることなく、低コストにて、運転適性診断を実施する。【解決手段】汎用のパーソナルコンピュータ１２０、および市販のゲームコントローラ等からなる操作インタフェース１３０を用いて運転適性診断遠隔受診端末１１０を構築し、任意の場所に簡易に設置された運転適性診断遠隔受診端末１１０をインターネット６００を介してサーバ装置５００に接続して、問診や実技診断を、サーバ装置５００から遠隔操作にて実施する。パーソナルコンピュータ１２０を用いた問診による診断テストと、操作インタフェース１３０を用いた実技を含む診断テストを、低コストの運転適性診断遠隔受診端末１１０を用いて受診者が一人で遂行できるとともに、診断結果や助言をパーソナルコンピュータ１２０のディスプレイ１２６等に出力することで、管理者の立ち会い等も不要である。【選択図】  図１Ａ
2008191585.tif 000002
【特許請求の範囲】
【請求項１】
情報ネットワークを介して第１情報処理装置に接続するためのネットワーク接続手段および情報表示手段を含む第２情報処理装置と、
前記第２情報処理装置に接続され、実技試験情報の収集に用いられる操作インタフェースと、
前記第２情報処理装置に実装され、前記操作インタフェースを管理する診断端末プログラムと、
を含むことを特徴とする情報ネットワークを用いた運転適性診断遠隔受診端末。
【請求項２】
請求項１記載の情報ネットワークを用いた運転適性診断遠隔受診端末において、
前記操作インタフェースは、自動車の運転を模擬する市販のゲームコントローラであり、
前記診断端末プログラムは、前記ゲームコントローラの制御に必要な制御情報を前記第１情報処理装置からダウンロードする機能を含むことを特徴とする情報ネットワークを用いた運転適性診断遠隔受診端末。
【請求項３】
請求項２記載の情報ネットワークを用いた運転適性診断遠隔受診端末において、
前記診断端末プログラムは、さらに、前記操作インタフェースに該当する前記制御情報が前記第１情報処理装置からダウンロードできない場合には、前記操作インタフェースの機能仕様情報を収集するキャリブレーションを実行し、前記機能仕様情報を前記制御情報として前記第１情報処理装置に送信する機能を備えたことを特徴とする情報ネットワークを用いた運転適性診断遠隔受診端末。
【請求項４】
請求項１記載の情報ネットワークを用いた運転適性診断遠隔受診端末において、
前記診断端末プログラムは、さらに、前記第２情報処理装置および／または前記操作インタフェースを用いて問診情報の収集を行う機能を備えたことを特徴とする情報ネットワークを用いた運転適性診断遠隔受診端末。
【請求項５】
請求項１記載の情報ネットワークを用いた運転適性診断遠隔受診端末において、
前記診断端末プログラムは、さらに、前記第１情報処理装置から受診した診断結果を前記表示手段に出力する機能を備えたことを特徴とする情報ネットワークを用いた運転適性診断遠隔受診端末。
【請求項６】
表示手段を備えた第２情報処理装置および前記第２情報処理装置に接続される操作インタフェースと、前記第２情報処理装置に実装され、前記操作インタフェースを管理する診断端末プログラムとを具備し、受診者から当該受診者の識別情報および問診情報および実技試験情報を収集する運転適性診断遠隔受診端末と、
前記運転適性診断遠隔受診端末に情報ネットワークを介して接続され、前記問診情報および前記実技試験情報に基づいて運転適性診断情報を生成する自動診断機能を具備した第１情報処理装置と、
を含むことを特徴とする運転適性診断遠隔受診システム。
【請求項７】
請求項６記載の運転適性診断遠隔受診システムにおいて、
前記運転適性診断遠隔受診端末の前記操作インタフェースは、自動車の運転を模擬する市販のゲームコントローラであり、
前記第１情報処理装置は、個々の前記ゲームコントローラの制御に必要な制御情報が蓄積された制御情報記憶手段を含むことを特徴とする運転適性診断遠隔受診システム。
【請求項８】
請求項７記載の運転適性診断遠隔受診システムにおいて、
前記診断端末プログラムは、前記ゲームコントローラの制御に必要な制御情報を前記第１情報処理装置からダウンロードする機能を含むことを特徴とする運転適性診断遠隔受診システム。
【請求項９】
請求項８記載の運転適性診断遠隔受診システムにおいて、
前記診断端末プログラムは、さらに、前記操作インタフェースに該当する前記制御情報が前記第１情報処理装置からダウンロードできない場合には、前記操作インタフェースの機能仕様情報を収集するキャリブレーションを実行し、前記機能仕様情報を前記制御情報として前記第１情報処理装置に送信する機能を備えたことを特徴とする運転適性診断遠隔受診システム。
【請求項１０】
請求項６記載の運転適性診断遠隔受診システムにおいて、
前記第１情報処理装置の前記自動診断機能は、前記運転適性診断遠隔受診端末の前記表示手段への質問文の表示および前記質問文に対する前記受診者の応答の検出によって前記問診情報の収集を実行する第１診断テストプログラムを含むことを特徴とする運転適性診断遠隔受診システム。
【請求項１１】
請求項６記載の運転適性診断遠隔受診システムにおいて、
前記第１情報処理装置の前記自動診断機能は、前記運転適性診断遠隔受診端末の前記操作インタフェースを介して前記実技試験情報を収集する第２診断テストプログラムを備えたことを特徴とする運転適性診断遠隔受診システム。
【請求項１２】
請求項１０記載の運転適性診断遠隔受診システムにおいて、
前記質問文は、性格テスト、安全態度テスト、危険感受性テストの各々毎に設けられ、
前記第１診断テストプログラムは、個々の前記質問文の提示に対する前記受診者の「はい」、「いいえ」、「どちらでもない」等の各々の応答を数値化して、前記問診情報として出力することを特徴とする運転適性診断遠隔受診システム。
【請求項１３】
請求項１１記載の運転適性診断遠隔受診システムにおいて、
前記実技試験情報は、平均見越反応時間を計測する平均見越反応時間計測テストと、重複作業における誤反応回数を計測する重複作業反応測定テストと、注意力の左右配分を評価する処置判断測定テストの各々の測定結果から得られることを特徴とする運転適性診断遠隔受診システム。
【請求項１４】
請求項６記載の運転適性診断遠隔受診システムにおいて、
前記運転適性診断情報を出力する前記自動診断機能は、
前記受診者の個人情報および当該受診者が所属する組織の組織情報を管理する診断情報登録・保持機能と、
前記問診情報および前記実技試験情報に基づいて前記運転適性診断情報を出力する診断結果処理機能と、
を含むことを特徴とする運転適性診断遠隔受診システム。
【請求項１５】
請求項１４記載の運転適性診断遠隔受診システムにおいて、
前記診断結果処理機能は、
前記問診情報を集計して第１換算値を決定し、前記第１換算値に基づいて前記運転適性診断情報としてコメントを決定する工程と、
前記実技試験情報を集計して第２換算値を決定し、前記第１および第２換算値に基づいて前記運転適性診断情報としてのコメントを決定する工程と、
前記第１および第２換算値に基づいて前記運転適性診断情報としての総合所見を決定する工程と、
を実行することを特徴とする運転適性診断遠隔受診システム。
【請求項１６】
ゲームコントローラを備えたパーソナルコンピュータをサーバ装置に情報ネットワークを介して接続するステップと、
前記サーバ装置が、前記ゲームコントローラおよび前記パーソナルコンピュータを介して受診者から当該受診者の識別情報、問診情報、および実技試験情報の少なくとも一つを収集するステップと、
前記サーバ装置が、前記問診情報および前記実技試験情報に基づいて運転適性診断情報を生成するステップと、
を含むことを特徴とする運転適性診断方法。
【発明の詳細な説明】
【技術分野】
【０００１】
本発明は、運転適性診断技術に関し、たとえば、事業用自動車を操縦する運転者や一般の運転者等の運転適性診断等に適用して有効な技術に関する。
【背景技術】
【０００２】
たとえば、現在では、物流の大半はトラック輸送に依存しており、トラック等の事業用自動車を操縦する運転者等に対する運転適性診断および運転者に対する診断結果の告知は、事故の予防等の観点から一層重要性を増している。
【０００３】
従来、このような運転適性診断の実施方法としては、運転シミュレータ等の診断設備を備えた診断実施業者の集会所等に複数の運転者を集合させ、診断員の口頭指導の下で、マークシート等を用いた問診と、操作盤を用いた実技試験を行うことが知られている。
【０００４】
しかしながら、専用の運転シミュレータや操作盤を用いるため、診断設備の設置コストが高くなり、設置場所や設置台数に自ずと制限が生じるため、比較的少ない設備を多数の受診者にて共用することとなる。この結果、運転適性診断の実施における場所的、時間的な制約が大きくなる、という技術的課題がある。
【０００５】
近年では高齢化社会の進展に伴い、職業運転者や一般運転者を問わず、広く手軽に運転適性診断を実施することが求められていることを考慮すると、運転適性診断の実施における場所的、時間的な制約の解決は一層重要性を増している。
【０００６】
また、上述のように、特定の場所に多数の運転者を集合させるためには、複数の運転者に対する実施日程の周知や繰り合わせ、集合場所への移動、診断員の常駐、等の煩雑な手続きが必要となり、診断の実施者および運転者の双方の負担が大きく、効率的な運転適性診断が困難であった。
【０００７】
なお、特許文献１には、インターネットを介して個々の受診者が、端末から適性診断サーバにアクセスして資格等の適性診断を行う技術が開示されているが、問診のみであり、特定のハードウェア等による実技診断を必要とする適性診断における上述の技術的課題や解決手段等に関しては全く開示されていない。
【特許文献１】特開２００３−２２８６１４号公報
【発明の開示】
【発明が解決しようとする課題】
【０００８】
本発明の目的は、場所的制約や時間的制約を生じることなく、低コストにて、運転適性診断を実施することが可能な運転適性診断技術を提供することにある。
本発明の他の目的は、受診者および実施者の双方に負担を掛けることなく、効率的な適性診断を実施することが可能な運転適性診断技術を提供することにある。
【課題を解決するための手段】
【０００９】
本発明の第１の観点は、情報ネットワークを介して第１情報処理装置に接続するためのネットワーク接続手段および情報表示手段を含む第２情報処理装置と、
前記第２情報処理装置に接続され、実技試験情報の収集に用いられる操作インタフェースと、
前記第２情報処理装置に実装され、前記操作インタフェースを管理する診断端末プログラムと、
を含む情報ネットワークを用いた運転適性診断遠隔受診端末を提供する。
【００１０】
本発明の第２の観点は、第１の観点に記載の情報ネットワークを用いた運転適性診断遠隔受診端末において、
前記操作インタフェースは、自動車の運転を模擬する市販のゲームコントローラであり、
前記診断端末プログラムは、前記ゲームコントローラの制御に必要な制御情報を前記第１情報処理装置からダウンロードする機能を含む情報ネットワークを用いた運転適性診断遠隔受診端末を提供する。
【００１１】
本発明の第３の観点は、第２の観点に記載の情報ネットワークを用いた運転適性診断遠隔受診端末において、
前記診断端末プログラムは、さらに、前記操作インタフェースに該当する前記制御情報が前記第１情報処理装置からダウンロードできない場合には、前記操作インタフェースの機能仕様情報を収集するキャリブレーションを実行し、前記機能仕様情報を前記制御情報として前記第１情報処理装置に送信する機能を備えた情報ネットワークを用いた運転適性診断遠隔受診端末を提供する。
【００１２】
本発明の第４の観点は、第１の観点に記載の情報ネットワークを用いた運転適性診断遠隔受診端末において、
前記診断端末プログラムは、さらに、前記第２情報処理装置および／または前記操作インタフェースを用いて問診情報の収集を行う機能を備えた情報ネットワークを用いた運転適性診断遠隔受診端末を提供する。
【００１３】
本発明の第５の観点は、第１の観点に記載の情報ネットワークを用いた運転適性診断遠隔受診端末において、
前記診断端末プログラムは、さらに、前記第１情報処理装置から受診した診断結果を前記表示手段に出力する機能を備えた情報ネットワークを用いた運転適性診断遠隔受診端末を提供する。
【００１４】
本発明の第６の観点は、表示手段を備えた第２情報処理装置および前記第２情報処理装置に接続される操作インタフェースと、前記第２情報処理装置に実装され、前記操作インタフェースを管理する診断端末プログラムとを具備し、受診者から当該受診者の識別情報および問診情報および実技試験情報を収集する運転適性診断遠隔受診端末と、
前記運転適性診断遠隔受診端末に情報ネットワークを介して接続され、前記問診情報および前記実技試験情報に基づいて運転適性診断情報を生成する自動診断機能を具備した第１情報処理装置と、
を含む運転適性診断遠隔受診システムを提供する。
【００１５】
本発明の第７の観点は、第６の観点に記載の運転適性診断遠隔受診システムにおいて、
前記運転適性診断遠隔受診端末の前記操作インタフェースは、自動車の運転を模擬する市販のゲームコントローラであり、
前記第１情報処理装置は、個々の前記ゲームコントローラの制御に必要な制御情報が蓄積された制御情報記憶手段を含む運転適性診断遠隔受診システムを提供する。
【００１６】
本発明の第８の観点は、第７の観点に記載の運転適性診断遠隔受診システムにおいて、
前記診断端末プログラムは、前記ゲームコントローラの制御に必要な制御情報を前記第１情報処理装置からダウンロードする機能を含む運転適性診断遠隔受診システムを提供する。
【００１７】
本発明の第９の観点は、第８の観点に記載の運転適性診断遠隔受診システムにおいて、
前記診断端末プログラムは、さらに、前記操作インタフェースに該当する前記制御情報が前記第１情報処理装置からダウンロードできない場合には、前記操作インタフェースの機能仕様情報を収集するキャリブレーションを実行し、前記機能仕様情報を前記制御情報として前記第１情報処理装置に送信する機能を備えた運転適性診断遠隔受診システムを提供する。
【００１８】
本発明の第１０の観点は、第６の観点に記載の運転適性診断遠隔受診システムにおいて、
前記第１情報処理装置の前記自動診断機能は、前記運転適性診断遠隔受診端末の前記表示手段への質問文の表示および前記質問文に対する前記受診者の応答の検出によって前記問診情報の収集を実行する第１診断テストプログラムを含む運転適性診断遠隔受診システムを提供する。
【００１９】
本発明の第１１の観点は、第６の観点に記載の運転適性診断遠隔受診システムにおいて、
前記第１情報処理装置の前記自動診断機能は、前記運転適性診断遠隔受診端末の前記操作インタフェースを介して前記実技試験情報を収集する第２診断テストプログラムを備えた運転適性診断遠隔受診システムを提供する。
【００２０】
本発明の第１２の観点は、第１０の観点に記載の運転適性診断遠隔受診システムにおいて、
前記質問文は、性格テスト、安全態度テスト、危険感受性テストの各々毎に設けられ、
前記第１診断テストプログラムは、個々の前記質問文の提示に対する前記受診者の「はい」、「いいえ」、「どちらでもない」等の各々の応答を数値化して、前記問診情報として出力する運転適性診断遠隔受診システムを提供する。
【００２１】
本発明の第１３の観点は、第１１の観点に記載の運転適性診断遠隔受診システムにおいて、
前記実技試験情報は、平均見越反応時間を計測する平均見越反応時間計測テストと、重複作業における誤反応回数を計測する重複作業反応測定テストと、注意力の左右配分を評価する処置判断測定テストの各々の測定結果から得られる運転適性診断遠隔受診システムを提供する。
【００２２】
本発明の第１４の観点は、第６の観点に記載の運転適性診断遠隔受診システムにおいて、
前記運転適性診断情報を出力する前記自動診断機能は、
前記受診者の個人情報および当該受診者が所属する組織の組織情報を管理する診断情報登録・保持機能と、
前記問診情報および前記実技試験情報に基づいて前記運転適性診断情報を出力する診断結果処理機能と、
を含む運転適性診断遠隔受診システムを提供する。
【００２３】
本発明の第１５の観点は、第１４の観点に記載の運転適性診断遠隔受診システムにおいて、
前記診断結果処理機能は、
前記問診情報を集計して第１換算値を決定し、前記第１換算値に基づいて前記運転適性診断情報としてコメントを決定する工程と、
前記実技試験情報を集計して第２換算値を決定し、前記第１および第２換算値に基づいて前記運転適性診断情報としてのコメントを決定する工程と、
前記第１および第２換算値に基づいて前記運転適性診断情報としての総合所見を決定する工程と、
を実行する運転適性診断遠隔受診システムを提供する。
【００２４】
本発明の第１６の観点は、ゲームコントローラを備えたパーソナルコンピュータをサーバ装置に情報ネットワークを介して接続するステップと、
前記サーバ装置が、前記ゲームコントローラおよび前記パーソナルコンピュータを介して受診者から当該受診者の識別情報、問診情報、および実技試験情報の少なくとも一つを収集するステップと、
前記サーバ装置が、前記問診情報および前記実技試験情報に基づいて運転適性診断情報を生成するステップと、
を含む運転適性診断方法を提供する。
【発明の効果】
【００２５】
本発明によれば、場所的制約や時間的制約を生じることなく、低コストにて、運転適性診断を実施することが可能な運転適性診断技術を提供することができる。
また、受診者および実施者の双方に負担を掛けることなく、効率的な適性診断を実施することが可能な運転適性診断技術を提供することができる。
【発明を実施するための最良の形態】
【００２６】
最初に、本実施の形態の運転適性診断技術における受診の流れの概要を簡単に説明し、その後、図面を参照した詳細な説明を行う。
１．操作インタフェースの接続
パーソナルコンピュータ等の診断端末に、ハンドル、アクセル・ブレーキペダル等のハードウェアを備えた操作インタフェースをＵＳＢ（Universal Serial Bus）等の汎用バスインタフェースを介して接続する。レースゲーム等に用いられるステアリングコントローラ等の操作インタフェースの動作信号は、アナログ信号が用いられることが一般的であり、このようなアナログインタフェースは、キャリブレーション（ペダルの踏み込み幅はどれぐらいあるか、ハンドルの回転量がどれぐらいあるか、等のハードウェア仕様を実行ソフトウェアに取り込む作業）が必要である。
【００２７】
ただし、当該端末にて、同一のインタフェースを使った受診を繰り返し行う場合には、キャリブレーションは初回の診断時のみ行い、そのキャリブレーションデータを記録し、診断テストの実行の都度そのデータを参照することによって、２回目以降の診断におけるキャリブレーションを省略可能とする。
【００２８】
なお、キャリブレーションデータは、操作インタフェースの機種毎に共通と考えられるので、サーバにデータを蓄積し、このデータをダウンロードすることによっても省略できるようにする。
【００２９】
近年のＵＳＢ接続の操作インタフェースは、操作インタフェースごとにユニークな識別名を持っているので、キャリブレーションデータは、操作インタフェース名によって管理されるものとする。
【００３０】
２．ソフトウェアの準備
操作インタフェースの準備ができた端末（以下、単に端末という）に診断ソフトウェアをダウンロードする。このソフトウェアは、運転適性診断に用いられる診断テストのためのクライアントソフトウェアとして機能し、インタフェースの準備確認（キャリブレーションと動作確認）、診断テストの実行、受診者の回答データの一時的収録、診断データ集計分析サーバへの送信の機能を持つ。
【００３１】
また、必要に応じて、システム管理者は適性診断ソフトウェアを利用しようとする者に対し、事前に契約を交わし、ドングル（ソフトウェアのコピー防止、不正利用を禁ずるためのハードウェアキー）を渡しておく。ソフトウェアの起動には、同ドングルを用いた利用者登録を必要とすることもできる。
【００３２】
３．診断テストソフトウェア作動
３．１．キャリブレーション
キャリブレーションは、当該端末、サーバ側にキャリブレーションデータファイルが存在しないときに実行される。キャリブレーションデータの有無は、キャリブレーションプログラムが、当該端末、サーバ側のデータベースを検索し、調べる。
【００３３】
初回のキャリブレーションにおいて、キャリブレーションプログラムは、当該操作インタフェースのキャリブレーションデータを当該端末に記録するとともに、キャリブレーションデータサーバにデータを送信する。キャリブレーションデータサーバは、次回の診断ソフトウェアのキャリブレーション実施時に記録データを活用できるよう、受信したデータを保管する。
【００３４】
キャリブレーションは、キャリブレーションプログラムの画面の指示に従って、端末操作者が操作インタフェースを動かして、キャリブレーションプログラムがその動作を記録し、記録データに基づく操作インタフェースの動作入力値の調整により行う。キャリブレーションプログラムは、テストの実行に必要なハンドル、アクセル・ブレーキペダル、ボタンスイッチ等が接続され、テストに十分な動作が可能であることを確認する。
【００３５】
３．２．診断受診の申し込み
３．２．１．アプリケーションサーバ等への利用登録
事業者等の利用者は、機器の動作が確認された後、診断料金収受（料金決済）のための情報の登録を行う。登録は、受診の度に行うこととする。なお、登録の際、一般利用者向けサーバは、後に診断票を任意の時期に参照することができるよう、受診毎に受診者別のＩＤとパスワードを発行する。また、ソフトウェアには、ドングル等のハードウェアキーを使ったプロテクトや、ＣＰＵＩＤ等を用いたプロテクトにより、ソフトウェアを利用できるパーソナルコンピュータを特定する機能を持たせる。
【００３６】
３．３．診断テスト
操作インタフェースが、テストに十分な動作が可能であることが確認できた後、診断テストを実行する。
【００３７】
３．３．１．受診の受付
受診に際しては、個々の受診者を特定するための受付処理を行う。システム管理者の保持する受診者個人の過去の受診データとの比較が可能となるよう、受診データベース（データサーバをシステムネットワーク内に設ける）に格納されたデータの検索機能により当該受診者の以前の受診記録を参照できるようにする。
【００３８】
また、端末のパーソナルコンピュータにＷＥＢカメラが接続されている場合、必要に応じて受診者の顔写真を撮り、本人確認の手がかりとして用いることができる。
３．３．２．診断テストの実行
診断テストの実行は、サーバと端末との間のインターネットを介した遠隔通信、遠隔制御により行う。ただし、診断中に受診者が操作に疑問を持ったり、診断テストが作動停止したりした場合には、別に設けるコールセンターと連絡して、受診者が疑問を解決できるようにする。
【００３９】
コールセンターとの連絡手段は、端末のパーソナルコンピュータを用いたインターネットを利用した音声通信（いわゆるインターネット通話機能等）によるものとし、アプリケーションサーバと連携して、どこに設置された機器か確認しつつ、対応する。
【００４０】
３．３．３．受診者の回答データを診断結果集計分析サーバへ送信
テスト終了後、収録された回答データは、診断結果集計分析のためサーバへ送信される。この際、受診者端末から、受診者のＩＤ、パスワードが送信される必要があるが、診断テスト直後は、これらの情報は端末プログラムが保持しておき、受診者の入力無しに送信されるものとする。
【００４１】
３．３．４．診断票の提示
診断結果集計分析を行うサーバは、診断結果を算定して、受診者に対して診断票を端末側の画面に提示する。また、端末にプリンタが接続されている場合は、印刷する。
【００４２】
４．診断の終了
診断終了時には、端末の診断テストプログラムは、受診テスト終了の旨を伝える画面を提示し、受診者端末内に一時的に保持された受診者ＩＤ、パスワード、診断結果情報、診断票情報等を削除する。これにより、個人情報を受診者端末にできるかぎり短時間（具体的には、診断の開始から終了までの時間）しか残さないようにし、その漏えいを未然に防ぐ。
【００４３】
また、必要に応じて、以下の機能も実装される。
５．診断結果の閲覧
受診者は、必要に応じて用いられるドングルから得られる認証情報、または、受診者が入力するＩＤおよびパスワードが同一のパーソナルコンピュータからデータサーバにアクセスし、自分自身の診断結果の過去一覧を参照できるものとする。
【００４４】
また、必要に応じて、顔写真を用いる同一性の判定等を認証に用いることもできる。その場合、顔写真の同一性の認定には、別途顔面認証機能を用いることができる。
ただし、たとえば、アクセスは最新の受診のあと、１週間以内程度に期限を定めたり、また、参照には、印刷はできないようブラウザの機能を制限するスクリプトを組み込み、その印刷を禁ずる。
【００４５】
６．遠隔地カウンセリングの実施
上述の３．３の適性診断テストの実施後、たとえば、受診者端末にＷＥＢカメラ、マイク、ヘッドフォン等、顔を見ながら音声のやりとりができる機能が付いている場合には、システム管理者の支所または事務所等に待機している職員による適性診断結果に基づく、安全運転に関するカウンセリング的助言・指導を行うこともできる。
【００４６】
７．診断終了後の手続き
適性診断のために利用した端末（パーソナルコンピュータ）から、ソフトウェアをアンインストールする。また、必要に応じてドングルを用いる場合には、ドングルをシステム管理者が回収する。この場合、システム管理者は、回収されたドングル内の情報を用いて、料金の支払いの確認等を行うことができる。
【００４７】
以下、図面を参照しながら、本発明の実施の形態についてさらに詳細に説明する。
図１Ａは、本発明の一実施の形態である運転適性診断遠隔受診システムを構成する運転適性診断遠隔受診端末の構成の一例を示す概念図であり、図１Ｂは、本発明の一実施の形態である運転適性診断遠隔受診システムの構成例を示す概念図、図１Ｃは本実施の形態の運転適性診断遠隔受診システムの構成の変形例である。
【００４８】
図２Ａは、本実施の形態の運転適性診断遠隔受診システムのソフトウェア構成および作用の一例を示すシーケンス図である。
図２Ｂおよび図２Ｃは、本実施の形態の運転適性診断遠隔受診システムの作用の一例を示すシーケンス図である。
【００４９】
図２Ｄは、本実施の形態の運転適性診断遠隔受診システムにて用いられるキャリブレーション情報の構成例を示す概念図である。
図１Ｂに例示されるように、本実施の形態の運転適性診断遠隔受診システム１００は、任意数の運転適性診断遠隔受診端末１１０と、公衆網６１０、インターネット６００等の情報ネットワークを介してこれらの運転適性診断遠隔受診端末１１０が接続されるサーバ装置５００と、を含んでいる。
【００５０】
図１Ａに例示されるように、本実施の形態の運転適性診断遠隔受診端末１１０は、パーソナルコンピュータ１２０と、このパーソナルコンピュータ１２０に接続される操作インタフェース１３０を含んでいる。
【００５１】
パーソナルコンピュータ１２０は、マイクロプロセッサ１２１、主記憶１２２、外部記憶装置１２３、ネットワークインタフェース１２４、汎用インタフェースコネクタ１２５、を含んでいる。また、パーソナルコンピュータ１２０は、必要に応じてプリンタ１２９を備えている。
【００５２】
マイクロプロセッサ１２１は、主記憶１２２に格納されたソフトウェアを実行することで、パーソナルコンピュータ１２０の全体を制御するとともに、後述のように、サーバ装置５００と連携して所望の運転適性診断処理を実現する。
【００５３】
主記憶１２２は、マイクロプロセッサ１２１によって実行されるオペレーティングシステム（ＯＳ）や、その配下で稼働するソフトウェアが格納される。本実施の形態の場合には、主記憶１２２には、診断端末プログラム１７０が格納されている。
【００５４】
この診断端末プログラム１７０は、情報表示プログラム１７１、操作インタフェース制御プログラム１７２を含んでいる。
情報表示プログラム１７１は、たとえばＷＥＢブラウザで構成され、後述のサーバ装置５００の側に設けられたウェブサーバ５１０との間で運転適性診断の遂行に必要な情報の授受や表示を行う。
【００５５】
操作インタフェース制御プログラム１７２は、後述のように、パーソナルコンピュータ１２０に接続された操作インタフェース１３０の制御を行う。
外部記憶装置１２３は、運転適性診断の実行課程で発生するデータが一時的に格納される。
【００５６】
ネットワークインタフェース１２４は、たとえばモデム等で構成され、公衆網６１０、インターネット６００を介したサーバ装置５００との間における情報通信インタフェースを提供する。
【００５７】
汎用インタフェースコネクタ１２５は、たとえば、ＵＳＢ等の汎用バスインタフェースコネクタからなり、操作インタフェース１３０やハードウェアキー９００の接続インタフェースを提供する。
【００５８】
ディスプレイ１２６は、運転適性診断の過程で情報表示プログラム１７１がサーバ装置５００との間で授受する情報の表示等を行う。
ディスプレイ１２６には、必要に応じてヘッドフォンやマイクロフォン等の音声インタフェース１２６ａが設けられている。
【００５９】
この音声インタフェース１２６ａは、たとえば、パーソナルコンピュータ１２０に実装されている図示しないインターネット通話ソフトウェアを用いて、サーバ装置５００の運営団体の職員と必要に応じて通話するために用いることができる。
【００６０】
パーソナルコンピュータ１２０に接続される操作インタフェース１３０は、たとえば、ＵＳＢインタフェースにてパーソナルコンピュータ１２０に接続され、自動車の運転を模擬するステアリングコントローラ等のゲームコントローラからなる。
【００６１】
受診者Ｐは、パーソナルコンピュータ１２０のディスプレイ１２６を見ながら、操作インタフェース１３０を操作することで問診や実技診断等の運転適性診断を受ける。
すなわち、操作インタフェース１３０は、筐体１３１、ステアリング１３２、複数のアクションボタン１３３ａおよびデシジョンボタン１３３ｂ、ペダル台１３４、アクセルペダル１３５、ブレーキペダル１３６、ペダル接続ケール１３７、汎用インタフェースケーブル１３８を含んでいる。
【００６２】
筐体１３１は、たとえば、図示しない事務机やテーブル等に固定される図示しない固定機構を備えている。また、操作インタフェース１３０の全体を制御するマイクロコンピュータ１３１ａを備えている。
【００６３】
ステアリング１３２は、筐体１３１に回転自在に装着され、受診者Ｐによって操作される際に、操作荷重等の実際の自動車等のステアリング操作を模擬することが可能になっている。
【００６４】
また、このステアリング１３２の受診者Ｐによる回転操作の方向および回転角度等の情報は、マイクロコンピュータ１３１ａを介して診断端末プログラム１７０（操作インタフェース制御プログラム１７２）の側で検出することが可能になっている。
【００６５】
複数のアクションボタン１３３ａは、ステアリング１３２の水平スポーク部分に、受診者Ｐの左手側および右手側に分かれて配置されており、ステアリング１３２を操作中の受診者Ｐによって操作される。また、受診者Ｐがどのアクションボタン１３３ａを押下したかを、マイクロコンピュータ１３１ａを介して操作インタフェース制御プログラム１７２の側で個別に検出することが可能になっている。
【００６６】
複数のデシジョンボタン１３３ｂは、ステアリング１３２の垂直スポークの部分に配置され、ステアリング１３２を操作中の受診者Ｐによって操作される。また、受診者Ｐがどのデシジョンボタン１３３ｂを押下したかを、マイクロコンピュータ１３１ａを介して操作インタフェース制御プログラム１７２の側で個別に検出することが可能になっている。
【００６７】
ペダル台１３４は、筐体１３１の設置場所の近傍の床に配置され、ペダル接続ケール１３７を介して筐体１３１に接続されている。ペダル台１３４には、実車のアクセル操作やブレーキ操作を模擬するためのアクセルペダル１３５およびブレーキペダル１３６が配置されている。
【００６８】
アクセルペダル１３５およびブレーキペダル１３６の受診者Ｐによる踏み込み操作は、マイクロコンピュータ１３１ａを介して操作インタフェース制御プログラム１７２の側で個別に検出することが可能になっている。
【００６９】
汎用インタフェースケーブル１３８は、たとえばＵＳＢインタフェースケーブルからなり、パーソナルコンピュータ１２０の汎用インタフェースコネクタ１２５の一つに接続される。
【００７０】
なお、後述のキャリブレーションデータ２９０ａや、キャリブレーション操作によって、操作インタフェース１３０の複数のアクションボタン１３３ａやデシジョンボタン１３３ｂは、問診診断や実技診断に用いられる、後述の左手ボタン１２７ａ、右手ボタン１２７ｂ、はいボタン１２７ｄ、いいえボタン１２７ｅ等に割り当てられて使用される。
【００７１】
一方、本実施の形態のサーバ装置５００は、一つまたは複数のウェブサーバ５１０、一つまたは複数のアプリケーションサーバ５２０、一つまたは複数のデータベースサーバ５３０、および記憶装置５４０、ルータ５５１、負荷分散装置５５２、ネットワークスイッチ５５３を含んでいる。
【００７２】
特に図示しないが、ウェブサーバ５１０、アプリケーションサーバ５２０、データベースサーバ５３０の各々は、たとえばＣＰＵと、主記憶およびネットワークインタフェース等を備え、主記憶に格納された診断進行監視機能プログラム１４３、自動診断プログラム１４０、第１診断テストプログラム１５０、第２診断テストプログラム１６０等のプログラムをＣＰＵが実行することで、所望の診断処理機能を実現するとともに、ネットワークインタフェースを介して情報ネットワーク５５４に接続されることで、相互間における情報の授受を行う。
【００７３】
サーバ装置５００は、ルータ５５１を介して外部のインターネット６００に接続され、個々の運転適性診断遠隔受診端末１１０は、インターネット６００を介してサーバ装置５００にアクセスすることが可能になっている。
【００７４】
サーバ装置５００の内部では、上述のウェブサーバ５１０、アプリケーションサーバ５２０、データベースサーバ５３０が、負荷分散装置５５２、ネットワークスイッチ５５３が設けられたＬＡＮ等の情報ネットワーク５５４を介して相互に接続され、サーバ装置５００として機能する構成となっている。
【００７５】
また、たとえば、予想される外部の複数の運転適性診断遠隔受診端末１１０からのアクセス負荷に応じて、ウェブサーバ５１０、アプリケーションサーバ５２０、データベースサーバ５３０は冗長構成としており、負荷分散装置５５２やネットワークスイッチ５５３を介して冗長構成の各サーバに外部からのアクセス負荷が分散される構成となっている。
【００７６】
なお、本実施の形態の運転適性診断遠隔受診システム１００の構成は、図１Ｂに例示したもの限らず、図１Ｃに例示される構成でもよい。
すなわち、図１Ｃの例では、運転適性診断遠隔受診システム１００を運営する団体の複数の支所サイト８００を公衆網６１０、インターネット６００を介してサーバ装置５００に接続した構成例である。
【００７７】
個々の支所サイト８００では、ＬＡＮ等の情報ネットワーク８０１、ハブ８０２を介して運転適性診断遠隔受診端末１１０および診断サーバ８１０が接続され、これらは、外部ネットワークインタフェース８０３を介して公衆網６１０に接続されている。
【００７８】
診断サーバ８１０は、パーソナルコンピュータ等で後述のサーバ装置５００の全体の機能を小規模に実現可能にしたものであり、外部ネットワークインタフェース８０３を介して外部と接続しなくても、支所サイト８００のみで運転適性診断が可能である。
【００７９】
また、必要に応じて、診断サーバ８１０に蓄積された診断結果の情報を、データベースサーバ５３０の記憶装置５４０にアップロードしたり、逆に、データベースサーバ５３０から必要な情報をダウンロードすることが可能になっている。
【００８０】
図２Ａに例示されるように、ウェブサーバ５１０には、ウェブサーバ機能を含む診断進行監視機能プログラム１４３が実装されている。
アプリケーションサーバ５２０には、診断申込処理機能１５１、問診テスト機能１５２を含む第１診断テストプログラム１５０と、実技テスト機能１６１、自動助言機能１６２を含む第２診断テストプログラム１６０が実装されている。
【００８１】
データベースサーバ５３０には、診断情報登録・保持機能１４１、診断結果処理機能１４２を含む自動診断プログラム１４０が実装されている。
本実施の形態の場合には、データベースサーバ５３０の配下の記憶装置５４０には、一例として、後述のような、質問ファイル２１０、尺度別採点盤作成テーブル２２０、換算値算出テーブル２３０、総合所見判定テーブル２４０、平均見越反応時間換算値テーブル２５０、誤反応回数換算値テーブル２６０、注意の配分換算値テーブル２７０および診断結果マスタファイル２８０、キャリブレーション情報ファイル２９０等の情報が格納されている。
【００８２】
そして、ウェブサーバ５１０、アプリケーションサーバ５２０、データベースサーバ５３０は、この記憶装置５４０の情報にアクセスして、後述のような運転適性診断処理を遂行する。
【００８３】
本実施の形態の場合には、パーソナルコンピュータ１２０に接続された操作インタフェース１３０を用いて、たとえば、平均見越反応時間を計測する平均見越反応時間計測テストＭ１と、重複作業における誤反応回数を計測する重複作業反応測定テストＭ２と、注意力の左右配分を評価する処置判断測定テストＭ３が実施される。
【００８４】
すなわち、本実施の形態の場合には、運転適性診断遠隔受診端末１１０を、パーソナルコンピュータ１２０と、このパーソナルコンピュータ１２０に接続される市販のゲームコントローラ等からなる操作インタフェース１３０で構成することにより、ステアリング１３２、アクセルペダル１３５、ブレーキペダル１３６等の特定のハードウェアを必要とする運転適性診断の実技診断を、任意の場所で簡易に実現可能である。
【００８５】
すなわち、運転適性診断遠隔受診端末１１０を構成するパーソナルコンピュータ１２０、およびゲームコントローラ等からなる操作インタフェース１３０は、現在では、いずれも、広く普及して安価に入手可能であり、低コストにて、後述のような、問診および実技の診断を含む運転適性診断を、任意の場所で任意の日時にて簡易に実現することができる。
【００８６】
従って、たとえば、本実施の形態の運転適性診断遠隔受診端末１１０を、個々の事業所や、受診者Ｐの自宅等の任意の場所に容易に配置して稼働させることが可能となる。
なお、操作インタフェース１３０を構成する市販のゲームコントローラは、多種多様なものが流通しているため、本実施の形態では、キャリブレーション情報ファイル２９０を、記憶装置５４０に設けて、個々の運転適性診断遠隔受診端末１１０における操作インタフェース１３０に該当するゲームコントローラの機種に応じたキャリブレーションデータ２９０ａを予め記憶しておき、このキャリブレーションデータ２９０ａを、運転適性診断遠隔受診端末１１０の側にダウンロードさせて、操作インタフェース制御プログラム１７２に使用させる。
【００８７】
これにより、操作インタフェース１３０を構成する任意のゲームコントローラのハードウェアから出力される操作情報を、問診や実技診断において必要とされるステアリング操作やボタン操作の共通の動作仕様に変換して、操作インタフェース制御プログラム１７２や、サーバ装置５００の側の動診断プログラム１４０、第１診断テストプログラム１５０、第２診断テストプログラム１６０の各機能が認識することを可能にする。
【００８８】
また、キャリブレーション情報ファイル２９０に未登録のゲームコントローラが操作インタフェース１３０として運転適性診断遠隔受診端末１１０に接続されている場合には、後述のような所定のキャリブレーション操作によって、運転適性診断遠隔受診端末１１０において、当該未知のゲームコントローラからなる操作インタフェース１３０のハードウェア仕様を検出し、サーバ装置５００のキャリブレーション情報ファイル２９０に登録する処理が行われる。
【００８９】
すなわち、図２Ｄに例示されるように、記憶装置５４０に設定されるキャリブレーション情報ファイル２９０には、操作インタフェースＩＤ２９１の各々毎に、左手ボタン情報２９２、右手ボタン情報２９３、はいボタン情報２９４、いいえボタン情報２９５、アクセルペダル踏み込み幅２９６、ブレーキペダル踏み込み幅２９７、ハンドル回転範囲２９８等の情報が対応付けられて一つのキャリブレーションデータ２９０ａとして格納されている。
【００９０】
そして、操作インタフェースＩＤ２９１をキーとして、キャリブレーション情報ファイル２９０からの任意のキャリブレーションデータ２９０ａの検索や登録が行われる。
操作インタフェースＩＤ２９１は、ＵＳＢ等の汎用インタフェースにおいて個々の接続機器に製品種別や機種ごとに割り当てられる固有識別情報である。
【００９１】
左手ボタン情報２９２（右手ボタン情報２９３）（はいボタン情報２９４）（いいえボタン情報２９５）は、本実施の形態の運転適性診断に必要な左手ボタン１２７ａ（右手ボタン１２７ｂ）（はいボタン１２７ｄ）（いいえボタン１２７ｅ）に割り当てられる操作インタフェース１３０のアクションボタン１３３ａまたはデシジョンボタン１３３ｂの当該操作インタフェース１３０におけるハードウェア的なボタンＩＤ（識別情報）が設定される。
【００９２】
たとえば、操作インタフェース１３０におけるアクションボタン１３３ａの任意の一つを押下したときにマイクロコンピュータ１３１ａが認識する情報がボタンＩＤであり、たとえば、このボタンＩＤを左手ボタン情報２９２に設定することで、操作インタフェース制御プログラム１７２等は、当該アクションボタン１３３ａを、左手ボタン１２７ａに割り当てて機能させることが可能になる。
【００９３】
アクセルペダル踏み込み幅２９６には、操作インタフェース１３０におけるアクセルペダル１３５の踏み込み操作の可動範囲の情報がデジタルの数値範囲として格納される。たとえば、無操作状態の０から最大の踏み込み位置での３２７６８等である。これにより、操作インタフェース１３０から返されるアクセルペダル１３５の踏み込み量に応じた数値と、このアクセルペダル踏み込み幅２９６とを比較することにより、受診者Ｐによるアクセルペダル１３５の踏み込み量を操作インタフェース制御プログラム１７２等の側で判別することができる。
【００９４】
ブレーキペダル踏み込み幅２９７もアクセルペダル踏み込み幅２９６の場合と同様である。
また、同様に、ハンドル回転範囲２９８は、ステアリング１３２の回動操作方向および量を数値で示した情報である。符号の負は反時計回り、正は時計回りで、数値が回転角度である。
【００９５】
そして、このキャリブレーション情報ファイル２９０を用いて、以下のような準備処理が行われる。
すなわち、図２Ｂに例示されるように、運転適性診断遠隔受診端末１１０による運転適性診断の開始に先立って、運転適性診断遠隔受診端末１１０が汎用のＷＥＢブラウザにてサーバ装置５００にアクセスすることで（ステップ７０１）、情報表示プログラム１７１や操作インタフェース制御プログラム１７２を含む診断端末プログラム１７０をダウンロードする（ステップ７０２）。
【００９６】
そして、ダウンロードされた操作インタフェース制御プログラム１７２は、運転適性診断遠隔受診端末１１０を構成するパーソナルコンピュータ１２０に接続されている操作インタフェース１３０の種別をチェックし、ＵＳＢ等の汎用インタフェース上における操作インタフェース１３０の固有識別情報（操作インタフェースＩＤ２９１）をサーバ装置５００に送信して、キャリブレーションデータ２９０ａを要求する（ステップ７０３）。
【００９７】
サーバ装置５００では、キャリブレーション情報ファイル２９０に当該固有識別情報に該当する操作インタフェースＩＤ２９１が登録済みか判別し、登録済みの場合には、該当する操作インタフェースＩＤ２９１のエントリの左手ボタン情報２９２〜ハンドル回転範囲２９８の情報を、キャリブレーションデータ２９０ａとして運転適性診断遠隔受診端末１１０に応答する（ステップ７０４）。
【００９８】
キャリブレーション情報ファイル２９０に未登録の操作インタフェース１３０がパーソナルコンピュータ１２０に接続されている場合には、運転適性診断遠隔受診端末１１０の操作インタフェース制御プログラム１７２は、当該操作インタフェース１３０のハードウェア仕様等を確認するキャリブレーション操作によって、キャリブレーションデータ２９０ａを収集して、サーバ装置５００に送信し（ステップ７０５）、キャリブレーション情報ファイル２９０に登録させる。
【００９９】
操作インタフェース制御プログラム１７２による未知の操作インタフェース１３０のキャリブレーションデータ２９０ａの収集は、一例として以下のように行うことができる。
たとえば、ディスプレイ１２６に「ハンドルを持った状態で右手で押しやすい一つのアクションボタンを押してください」、というメッセージを表示して、操作インタフェース１３０のマイクロコンピュータ１３１ａから応答されるハードウェア的なボタンＩＤを採取し、これを、キャリブレーションデータ２９０ａの右手ボタン情報２９３に登録する。他のボタンも同様にしてボタンＩＤを採取してキャリブレーションデータ２９０ａに登録する。
【０１００】
同様に、ディスプレイ１２６に「ハンドルを左右にいっぱい切ってください」というメッセージを表示して、マイクロコンピュータ１３１ａから応答されるステアリング１３２の回転操作方向と量を検出し、検出された値をハンドル回転範囲２９８に登録する。
【０１０１】
同様に、ディスプレイ１２６に「アクセルペダル（ブレーキペダル）をいっぱいに踏み込んで完全に足を離してください」というメッセージを表示して検出されたアクセルペダル１３５（ブレーキペダル１３６）のストローク範囲をアクセルペダル踏み込み幅２９６（ブレーキペダル踏み込み幅２９７）に登録する。
【０１０２】
このような準備操作により、操作インタフェース制御プログラム１７２によって、キャリブレーションデータ２９０ａを用いた操作インタフェース１３０の制御可能状態を構築した後、図２Ｃに例示されるように、運転適性診断遠隔受診端末１１０を用いた後述のような運転適性診断を実施し、運転適性診断遠隔受診端末１１０で収集された診断情報をサーバ装置５００に送信し（ステップ７０６）、サーバ装置５００の側から分析結果である診断票情報を、たとえば、汎用の印刷フォーマット情報（ＸＭＬファイル、ＨＴＭＬファイル、ＰＤＦファイル、テキストファイル等）として、運転適性診断遠隔受診システム１００に応答する（ステップ７０７）。
【０１０３】
一方、本実施の形態の場合、質問ファイル２１０は、図３、図４、図５、図６、図７、図８等に例示されるように、性格テスト（ＴＵＰＩ）のために、属性の異なる複数の第１質問文テーブル２１１（図３）、第２質問文テーブル２１２（図４）、第３質問文テーブル２１３（図５）、第４質問文テーブル２１４（図６）、第５質問文テーブル２１５（図７）、第６質問文テーブル２１６（図８）を含んでいる。
【０１０４】
同様に、特に図示しないが、安全態度テスト（Ｓ）、危険感受性テスト（Ｒ）、の各々についても質問文が用意されている。
第１質問文テーブル２１１〜第６質問文テーブル２１６の各々は、質問番号２１０ａ、質問文２１０ｂ、応答別配点値２１０ｃが対応付けられて格納された共通の構成となっている。
【０１０５】
質問番号２１０ａは、個々の質問文２１０ｂにユニークに付与された識別番号である。
質問文２１０ｂは、受診者Ｐに提示される質問文である。
応答別配点値２１０ｃは、対応する質問文２１０ｂに対する受診者Ｐの「はい」「いいえ」「どちらでもない」等の応答の種別に応じた配点が設定されている。
【０１０６】
図３に例示される第１質問文テーブル２１１には、受診者Ｐの感情の安定性（尺度Ｅ）を診断する複数の質問文２１０ｂが設定されている。
図４の第２質問文テーブル２１２には、受診者Ｐの協調性（尺度Ｃ）を診断するための質問文２１０ｂが設定されている。
【０１０７】
図５に例示される第３質問文テーブル２１３には、受診者Ｐの気持ちのおおらかさ（尺度Ｇ）、を診断するための質問文２１０ｂが設定されている。
図６に例示される第４質問文テーブル２１４には、受診者Ｐの他人に対する好意（Ｄ尺度）を診断するための質問文２１０ｂが設定されている。
【０１０８】
図７に例示される第５質問文テーブル２１５には、受診者Ｐの態度尺度（尺度Ａ）を測定するための質問文２１０ｂが設定されている。
図８に例示される第６質問文テーブル２１６には、受診者Ｐの職場・環境満足（尺度Ｓ）を診断するための質問文２１０ｂが設定されている。
【０１０９】
図９に例示される尺度別採点盤作成テーブル２２０は、受診者Ｐが属する個々の事業者が、任意に、応答別配点値２１０ｃの重みを設定して、上述の第１質問文テーブル２１１〜第６質問文テーブル２１６の各々の質問文２１０ｂに対する尺度Ｅ〜尺度Ｓを評価するために用いられる。
【０１１０】
この尺度別採点盤作成テーブル２２０は、上述の尺度Ｅ〜尺度Ｓの各々に対応した尺度項目２２１、該当質問番号２２２（質問番号２１０ａ）、応答別配点部２２３を含んでいる。
【０１１１】
図１０に例示される換算値算出テーブル２３０は、上述の第１質問文テーブル２１１〜第６質問文テーブル２１６の各々の応答別配点値２１０ｃを集計することで、個々の尺度Ｅ〜尺度Ｓの各々の診断／評価に用いられる換算値を決定するテーブルである。
【０１１２】
この換算値算出テーブル２３０は縦方向に尺度名２３１、横方向に換算値２３２、が設定され、尺度名２３１と、換算値２３２の交点の欄に粗点（応答別配点値２１０ｃの受診者Ｐの応答結果の総和）を判定する閾値が設定される。
【０１１３】
同様に、特に図示しないが、安全態度テスト（Ｓ）、危険感受性テスト（Ｒ）、の各々についても換算値算出テーブルが用意されている。
図１１に例示される総合所見判定テーブル２４０は、上述の換算値算出テーブル２３０によって決定された尺度Ｅ〜尺度Ｓの各々の換算値２３２に基づいて、受診者Ｐに診断結果として提示すべき総合所見を決定するためのテーブルである。
【０１１４】
すなわち、この総合所見判定テーブル２４０は、総合判定分類２４１、総合所見記載文章２４２、判定基準２４３を対応つけて格納した構成となっており、判定基準２４３で定義された条件に換算値２３２が合致する場合に、当該判定基準２４３に対応した総合所見記載文章２４２が総合所見として出力される。
【０１１５】
図１２に例示される平均見越反応時間換算値テーブル２５０は、パーソナルコンピュータ１２０において実施される平均見越反応時間計測テストＭ１の診断結果を評価するために用いられる。
【０１１６】
すなわち、この平均見越反応時間換算値テーブル２５０は、所定の範囲毎の反応時間区分２５１に対応する、判定２５２、換算値２５３が設定されている。
図１３に例示される誤反応回数換算値テーブル２６０は、運転適性診断遠隔受診端末１１０で実施される重複作業反応測定テストＭ２の診断結果を評価するために用いられる。
【０１１７】
すなわち、この誤反応回数換算値テーブル２６０は、誤反応回数２６１および信号音誤反応回数２６２の区分に対応して、評価に用いられる換算値２６３が設定されている。
図１４に例示される注意の配分換算値テーブル２７０は、運転適性診断遠隔受診端末１１０で実施される処置判断測定テストＭ３の診断結果を評価するために用いられる。
【０１１８】
この注意の配分換算値テーブル２７０は、誤数総計値２７１の区分に対応して換算値２７２が設定されている。
以下、本実施の形態の運転適性診断遠隔受診システム、運転適性診断方法の作用の一例について説明する。
【０１１９】
図１５は、本実施の形態の全体の作用の一例を示すフローチャートである。まず、一般的な準備処理として、サーバ装置５００のデータベースサーバ５３０の配下の記憶装置５４０の診断結果マスタファイル２８０に過去の診断データ等を必要に応じて実装する（ステップ４１０）。この処理は、データベースサーバ５３０に備えられた自動診断プログラム１４０の診断情報登録・保持機能１４１を用いて実行される。
【０１２０】
次に、サーバ装置５００から、個々の運転適性診断遠隔受診端末１１０に診断端末プログラム１７０をダウンロードして、適宜、上述の操作インタフェース１３０のキャリブレーション処理を実施して、サーバ装置５００の側から運転適性診断遠隔受診端末１１０の操作インタフェース１３０を制御可能な状態とする（ステップ４２０）。
【０１２１】
なお、第１診断テストプログラム１５０、第２診断テストプログラム１６０をアプリケーションサーバ５２０から運転適性診断遠隔受診端末１１０のパーソナルコンピュータ１２０にダウンロードして、運転適性診断遠隔受診端末１１０の側でローカルに運転適性診断を実行し、得られた診断データをまとめて、データベースサーバ５３０に送信して自動診断プログラム１４０に処理させるようにしてもよい。
【０１２２】
この場合には、サーバ装置５００に接続される運転適性診断遠隔受診端末１１０の数が多い場合でも、個々の運転適性診断遠隔受診端末１１０の側でローカルに診断処理が行われるので、アプリケーションサーバ５２０の負荷を軽減することができる。
【０１２３】
そして、最初に個々の受診者Ｐから運転適性診断遠隔受診端末１１０のパーソナルコンピュータ１２０によって申込書の入力を受け付ける。なお、本実施の形態の場合には、ハードウェアキー９００をパーソナルコンピュータ１２０に装填することで、この申込書の受け付けを自動で済ましてもよい。
【０１２４】
その後、当該受診者Ｐに対して運転適性診断遠隔受診端末１１０のパーソナルコンピュータ１２０を用いた問診テスト（診断テストＡ）を実行する（ステップ４３０）。
なお、この問診テスト（診断テストＡ）には、性格テスト（ＴＵＰＩ）、安全態度テスト（Ｓ）、危険感受性テスト（Ｒ）、が含まれる。
【０１２５】
このステップ４２０の処理は、運転適性診断遠隔受診端末１１０に実装された診断端末プログラム１７０と、アプリケーションサーバ５２０に実装された第１診断テストプログラム１５０の診断申込処理機能１５１との間の遠隔通信によって実行され、ステップ４３０の処理は、問診テスト機能１５２によって実行される。
【０１２６】
次に、問診テストを終えた当該受診者Ｐに対して、運転適性診断遠隔受診端末１１０のパーソナルコンピュータ１２０および操作インタフェース１３０を用いた診断テストＢが行われる（ステップ４４０）。この診断テストＢは、パーソナルコンピュータ１２０に実装された診断端末プログラム１７０と、アプリケーションサーバ５２０に実装された第２診断テストプログラム１６０の実技テスト機能１６１との間の遠隔通信によって実行される。
【０１２７】
その後、サーバ装置５００のデータベースサーバ５３０にて診断結果の判定処理が行われ、判定結果等の情報が診断結果としてデータベースサーバ５３０から運転適性診断遠隔受診端末１１０にダウンロードされる。
【０１２８】
そして運転適性診断遠隔受診端末１１０において、診断結果の出力および受診者Ｐに対する自動的な助言が行われる（ステップ４５０）。診断結果の出力や助言は、パーソナルコンピュータ１２０のディスプレイ１２６に表示して受診者Ｐに提示したり、パーソナルコンピュータ１２０に接続されたプリンタ１２９から用紙に印刷して受診者Ｐに交付される。
【０１２９】
このステップ４５０の処理は、アプリケーションサーバ５２０の第２診断テストプログラム１６０の自動助言機能１６２によって実行される。
なお、運転適性診断遠隔受診端末１１０を用いた運転適性診断の終了時には、パーソナルコンピュータ１２０から、診断端末プログラム１７０や、受診者Ｐの個人情報等は完全に削除される。
【０１３０】
その後、受診者Ｐは、出力された受診データを持ち帰り、必要に応じて事後処理が行われる（ステップ４６０）。
たとえば、受診者Ｐの認証を、ハードウェアキー９００をパーソナルコンピュータ１２０に装填して自動的に実施する場合には、受診回数、受診者Ｐの識別情報等を記録して、後に回収して課金処理等に用いてもよい。
【０１３１】
次に、図１６、図１７、図１８、図１９、図２０、図２１、図２２、図２３、図２４のフローチャート等を参照して、本実施の形態の運転適性診断遠隔受診システム１００の作用をさらに詳細に説明する。なお、図１６乃至図２４の各フローチャートにおいて、○で囲まれた数字は、特に断らない限り分岐先のステップ番号を示している。また、判定ステップでは、入力待ち時間を制限するタイマがセットされており、所定の時間以上無入力の場合には、前のステップに戻る制御が行われる。
【０１３２】
最初に、パーソナルコンピュータ１２０のディスプレイ１２６に、受診者Ｐに対する「あいさつ文」（ステップ２）、運転適性診断遠隔受診システム１００による診断に関する説明文の提示や音声出力（ステップ３）が行われる。このように、本実施の形態の運転適性診断遠隔受診システム１００は、管理者の立ち会い等を全く必要とすることなく、個々の受診者Ｐが一人で、任意の時間に適性診断を受診することができる。
【０１３３】
その後、上述のステップ４２０の診断申込書の入力が開始される。この診断申込書の入力では、受診者Ｐが所属する事業所の選択（ステップ４、ステップ４ａ）、営業所の選択（ステップ５、ステップ５ｂ）、名字入力（ステップ６、ステップ６ａ）が行われ、名字の入力によって診断結果マスタファイル２８０から登録済みの受診者Ｐの一覧を提示して受診者Ｐに選択させる（ステップ７、ステップ７ａ）。このとき、一覧にある場合には、生年月日等の入力を省略してステップ１４に分岐する。
【０１３４】
ステップ４、ステップ５で、入力された事業所や営業所がない場合には（ステップ４ａ、ステップ５ｂ）、エラーメッセージを表示して（ステップ５ａ）、ステップ４に戻る。ステップ４ａ、ステップ５ｂで所定の時間だけ無入力の場合は、前画面に戻る。ステップ６ａで所定時間入力がない場合は、前のステップ５に戻る。
【０１３５】
ステップ７ａで、所定の時間無入力の場合はステップ６に戻り、自分の名前が一覧にない場合には、下名（名前）を入力して、新たに診断結果マスタファイル２８０に登録し（ステップ８、ステップ８ａ、ステップ９、ステップ９ａ）、生年月日の入力を行う（ステップ１０、ステップ１１、ステップ１１ａ、ステップ１２、ステップ１２ａ、ステップ１３、ステップ１３ａ、ステップ１４、ステップ１４ａ）。
【０１３６】
ステップ８ａで所定の時間無入力の場合はステップ７に戻る。ステップ９ａで、名前の間違いがある場合はステップ７に戻り、間違いがなく、同姓同名もない場合にはステップ１４に分岐し、間違いがなく、同姓同名がある場合はステップ１０に移行する。
【０１３７】
ステップ１１ａ、ステップ１２ａ、ステップ１３ａで所定の時間無入力の場合はステップ１０に戻る。
なお、ステップ１４の名前と生年月日の確認で、間違いがある場合には（ステップ１４ａ）、図２１のステップ１５に分岐して、間違いを確認し、それぞれの間違いに応じて、ステップ６またはステップ１０に分岐して訂正を行う。すなわち、名前と生年月日のどちらも違うか、名前が違う場合には（ステップ１５ａ）、ステップ６に分岐する。生年月日のみが違う場合には（ステップ１５ｂ）、ステップ１０に分岐し、ステップ１５ｂで所定の時間入力がない場合にはステップ１５に戻る。
【０１３８】
この後、性別の登録済みか否かの確認を行い（ステップ１４ｂ）、登録済みの場合はステップ３３に分岐する。
このような、氏名、生年月日の入力後、性別が未登録の場合は、性別の確認／入力（ステップ１６）を行う。
【０１３９】
この性別の入力後、新規・未登録か判別し（ステップ１６ａ）、新規・未登録の場合は次のステップ１７に移行する。新規・未登録でない場合は、男／女の種別を設定してステップ３３に分岐する。
【０１４０】
そして、新規／未登録の場合には、診断回数（ステップ１７）、事業の種類（ステップ１８）、免許の有無（ステップ１９、ステップ１９ａ）、第２種免許の有無（ステップ２０、ステップ２０ａ）、第２種免許大型の有無（ステップ２１、ステップ２１ａ）、第１種免許普通の有無（ステップ２２、ステップ２２ａ）、免許年数の入力（ステップ３１）等を行う。
【０１４１】
ステップ１９ａで免許がないと判定された場合は、ステップ３２に分岐する。ステップ２０ａで第２種免許有りと判定された場合はステップ３１に分岐する。ステップ２１ａで第２種大型免許有りと判定された場合は、ステップ３１に分岐する。
【０１４２】
そして、以上の入力内容の確認（ステップ３２、ステップ３２ａ）の後、確認不可の場合は、ステップ１６に戻り、確認可の場合は、整理番号を取得し（ステップ３３）、受診状況と受診開始の告知（ステップ３４）と、問診テストの開始の選択を行う（ステップ３４ａ）。
【０１４３】
そして、問診テストの開始が選択された場合には、初めての受診か否かを判別し（ステップ３４ｂ）、初めての場合には、図２４に例示されるステップ８１〜ステップ８６を実行して、受診者Ｐに対して「心構え」の表示を行う。
【０１４４】
その後、運転適性診断遠隔受診端末１１０のパーソナルコンピュータ１２０および操作インタフェース１３０を用いて、性格テスト（ステップ４２）、安全態度テスト（ステップ４３）、危険感受性テスト（ステップ４４）を順次実行する。
【０１４５】
なお、本実施の形態の質問ファイル２１０（第１質問文テーブル２１１〜第６質問文テーブル２１６）は、性格テスト（ＴＵＰＩ）に関するものであり、同様にして、安全態度テスト（Ｓ）、危険感受性テスト（Ｒ）も行われる。
【０１４６】
この運転適性診断遠隔受診端末１１０におけるパーソナルコンピュータ１２０を用いた問診テストでは、図２５に例示されるように、パーソナルコンピュータ１２０のディスプレイ１２６に、質問欄３１１、はいボタン３１２、いいえボタン３１３、どちらでもないボタン３１４を表示し、質問欄３１１には、質問ファイル２１０の質問文２１０ｂを表示して、受診者Ｐの答え（「はい」（はいボタン３１２）、「いいえ」（いいえボタン３１３）、「どちらでもない」（どちらでもないボタン３１４））を記録することで診断が行われる。
【０１４７】
各ボタンの選択操作は、マウス１２８を用いて行ってもよいし、操作インタフェース１３０の対応するアクションボタン１３３ａを押下して行ってもよい。
なお、これらの各テストの途中で、診断の中断の画面表示および受診者Ｐの入力による中断有無を判別し（ステップ４７ａ、ステップ４７ａ−１、ステップ４７ｂ、ステップ４７ｂ−１、ステップ４７ｃ、ステップ４７ｃ−１）、受診者Ｐによって中断が選択された場合には、図２２のステップ４８に分岐して中断確認を実行し（ステップ４８ａ）、中断が指示された場合には、診断を中断して（ステップ４９）、上述のステップ１に戻る。
【０１４８】
また、ステップ４８ａで中断が指示されなかった場合には、元のステップ４７ａ、ステップ４７ｂ、ステップ４７ｃに戻る。
こうして、運転適性診断遠隔受診端末１１０のパーソナルコンピュータ１２０を用いた、性格テスト、安全態度テスト、危険感受性テスト、等の診断テストＡを完了した後、パーソナルコンピュータ１２０および操作インタフェース１３０を用いた診断テストＢの開始確認を行う（ステップ６０）。
【０１４９】
そして、開始が選択された場合には（ステップ６０ａ）、操作インタフェース１３０を用いた診断テストＢを実行し（ステップ６１）、完了後に、ステップ３４に戻る。ステップ６０ａで終了が選択された場合は、ステップ３４に戻る。
【０１５０】
図２６に、このパーソナルコンピュータ１２０および操作インタフェース１３０を用いた診断テストＢの一例を示す。この図２６では、平均見越反応時間計測テストＭ１の例が示されている。
【０１５１】
すなわち、パーソナルコンピュータ１２０のディスプレイ１２６に、移動路３２１と、この移動路３２１の左端側に、当該移動路３２１の一部を隠蔽する遮蔽部３２２を表示する。移動路３２１には、右端側から左端側に移動する移動体３２３が表示される。
【０１５２】
受診者Ｐは、移動路３２１を右端側から左端側に移動する移動体３２３を注視し、遮蔽部３２２に隠れた移動体３２３が移動路３２１の左端に出現するタイミングを予測して、たとえば、右手ボタン１２７ｂ（すなわち操作インタフェース１３０の該当するアクションボタン１３３ａ）を押下する。
【０１５３】
アプリケーションサーバ５２０の第２診断テストプログラム１６０は、運転適性診断遠隔受診端末１１０から得られる実際の移動体３２３の遮蔽部３２２から出現タイミングと、受診者Ｐによる予測タイミング（右手ボタン１２７ｂの押下）の時間差（尚早／遅延の度合い）を測定して記録する。
【０１５４】
なお、特に図示しないが、運転適性診断遠隔受診端末１１０のパーソナルコンピュータ１２０および操作インタフェース１３０を用いる診断テストＢとしては、上述の平均見越反応時間計測テストＭ１の他に、重複作業反応測定テストＭ２と、処置判断測定テストＭ３も行われる。
【０１５５】
重複作業反応測定テストＭ２は、たとえば、ディスプレイ１２６に表示される色が、「赤」、「青」、「黄」の各々の場合に、操作インタフェース１３０の左手ボタン１２７ａ、右手ボタン１２７ｂ、アクセルペダル１３５、をそれぞれ操作するように受診者Ｐに指示し、ディスプレイ１２６に表示される色をランダムに変化させた時の受診者Ｐの、左手ボタン１２７ａ（対応する一つのアクションボタン１３３ａ）、右手ボタン１２７ｂ、アクセルペダル１３５の誤操作（誤反応）の回数を記録するものである。同様に、ディスプレイ１２６に表示される色の代わりに、受診者Ｐに異なる音を聞かせて、同様の試験を行うこともできる。
【０１５６】
また、処置判断測定テストＭ３は、ディスプレイ１２６を縦に二分した画面の各々に、互いに逆方向に移動する物体を表示するとともに、その各々に、ステアリング１３２の左右方向の回動操作に連動して画面内を左右に移動するマーカを表示し、物体および画面側端にマーカが衝突しないように受診者Ｐにステアリング１３２による回避操作を行わせ、左右の画面でのマーカと物体の衝突回数等を計測するものである。なお、この衝突回数は、注意の配分換算値テーブル２７０の所定の評価値（Ｅｔ）に変換されて換算値の決定に用いられる。
【０１５７】
このような運転適性診断遠隔受診端末１１０のパーソナルコンピュータ１２０を用いた診断テストＡ、および操作インタフェース１３０を用いた診断テストＢが終了して上述のステップ３４のメニューに戻ると、受診者Ｐは、診断票の出力を選択する（ステップ３４ａ）。
【０１５８】
これにより、図２３に例示されるステップ７０に分岐し、データベースサーバ５３０にて適性診断票の生成を行う。この場合、適性診断票を、ＰＤＦファイルにして運転適性診断遠隔受診端末１１０にダウンロードして、単にパーソナルコンピュータ１２０のディスプレイ１２６に表示するだけでもよいし（ステップ７０ａ）、プリンタ１２９を用いて印刷してもよい（ステップ７０ｂ）。
【０１５９】
この適性診断票の生成は、データベースサーバ５３０に実装された自動診断プログラム１４０の診断結果処理機能１４２が行う。
図２７は、このステップ７０の適性診断票の生成処理の一例を示すフローチャートである。
【０１６０】
データベースサーバ５３０の診断結果処理機能１４２は、上述の運転適性診断遠隔受診端末１１０において実施された診断テストＡのデータを集計し（ステップ４５１）、換算値算出テーブル２３０とのマッチングを行うことで（ステップ４５２）、換算値２３２を決定する（ステップ４５３）。
【０１６１】
なお、図１０に例示される粗点は、第１質問文テーブル２１１〜第６質問文テーブル２１６の各々毎における、個々の質問文２１０ｂに設定された応答別配点値２１０ｃの集計値であるが、応答別配点値２１０ｃを用いる代わりに、図９に例示されるように、個々の実施事業者等において、各質問番号に対応した「はい」、「いいえ」、「どちらでもない」に応じた配点の重みを適宜変更することもできる。
【０１６２】
さらに、診断結果処理機能１４２は、上述の運転適性診断遠隔受診端末１１０にて実施された当該受診者Ｐに関する平均見越反応時間計測テストＭ１、重複作業反応測定テストＭ２、処置判断測定テストＭ３のデータを集計し（ステップ４５４）、それぞれ、平均見越反応時間換算値テーブル２５０、誤反応回数換算値テーブル２６０、注意の配分換算値テーブル２７０とマッチングして（ステップ４５５）、換算値２５３、換算値２６３、換算値２７２を得る（ステップ４５６）。
【０１６３】
その後、診断テストＡと診断テストＢの換算値と総合所見判定テーブル２４０の判定基準２４３をマッチングし（ステップ４５７）、総合所見記載文章２４２（総合判定分類２４１）を決定する（ステップ４５８）。
【０１６４】
こうして得られた適性診断の結果を、図２８および図２９に例示される適性診断結果として、画面や紙に出力する（ステップ４５９）。
すなわち、図２８の［１］総合所見は、総合所見判定テーブル２４０から得られた総合所見記載文章２４２に対応している。また、［２］心理適性診断の結果、の（１）〜（６）の項目は、換算値算出テーブル２３０の尺度名２３１、換算値２３２、さらには、に対応している。また、（７）〜（９）の項目は、平均見越反応時間換算値テーブル２５０、誤反応回数換算値テーブル２６０、注意の配分換算値テーブル２７０の換算値２５３、換算値２６３、換算値２７２、に対応している。
【０１６５】
また、図２９の［３］の各コメントは、換算値算出テーブル２３０の尺度名２３１と換算値２３２の組み合わせ毎に設けられて図示しないコメント群から出力される。
なお、この［３］の各コメントは、受診者Ｐに対する助言として、アプリケーションサーバ５２０の第２診断テストプログラム１６０に実装された自動助言機能１６２により、個々の受診者Ｐに、パーソナルコンピュータ１２０のディスプレイ１２６での表示出力や、音声インタフェース１２６ａを用いた音声出力によって提示される。
【０１６６】
また、図３０に例示されるように、診断結果マスタファイル２８０に保存されている過去の記録に基づいて、過去の履歴も受診者Ｐに提示することができる。
図３０の例では、過去の３回分と今回の受診結果が、図２８の［２］の（１）〜（９）の各項目別に表示されている。
【０１６７】
以上説明したように、本実施の形態の運転適性診断遠隔受診システム、運転適性診断方法によれば、たとえば、運転適性診断遠隔受診システム１００を、受診者Ｐの勤務する各事業所や自宅等の任意の場所に設置することで、簡便に適性診断を実施できる。
【０１６８】
すなわち、サーバ装置５００にインターネット６００を介して接続される運転適性診断遠隔受診端末１１０は、容易かつ安価に入手可能な汎用のパーソナルコンピュータ１２０、および市販の安価なゲームコントローラ等の操作インタフェース１３０を用いて構成されているので、運転適性診断遠隔受診端末１１０の全体を極めて低コストに構築でき、運転適性診断の実施コストを大幅に削減できる。この結果、多数の各事業所や自宅等に個別に分散配置することも可能になる。
【０１６９】
この結果、安価で汎用的なゲームコントローラ等の操作インタフェース１３０を用いることにより、特定のハードウェアを使用する実技試験を含む運転適性診断を、低コストにて効率的に実施することができる。
【０１７０】
これにより、本実施の形態の運転適性診断遠隔受診システム１００および運転適性診断遠隔受診端末１１０によれば、場所的制約や時間的制約を生じることなく、低コストにて、運転適性診断を実施することが可能となる。
【０１７１】
また、サーバ装置５００にインターネット６００を介して接続された運転適性診断遠隔受診端末１１０の指示に従っていけば、個々の受診者Ｐが一人で受診でき、診断に必要なことがらは、すべて運転適性診断遠隔受診端末１１０の画面（パーソナルコンピュータ１２０のディスプレイ１２６）の文字と音声で案内するので、管理者が立ち会う必要もない。また、サーバ装置５００において自動的に診断結果の集計、および運転適性診断遠隔受診端末１１０を介した受診者Ｐへの提示が行われるので、完全に完結した適性診断を、任意の場所で実現できる。
【０１７２】
また、全くはじめて適性診断を受ける場合であっても、一人で受診することができる。安全運転の参考のために、診断結果を印刷して受診者に交付することができる。
この結果、受診者および実施者の双方に負担を掛けることなく、効率的な適性診断を実施することが可能となる。
【０１７３】
なお、本発明は、上述の実施の形態に例示した構成に限らず、その趣旨を逸脱しない範囲で種々変更可能であることは言うまでもない。
【図面の簡単な説明】
【０１７４】
【図１Ａ】本発明の一実施の形態である運転適性診断遠隔受診システムを構成する運転適性診断遠隔受診端末の構成の一例を示す概念図である。
【図１Ｂ】本発明の一実施の形態である運転適性診断遠隔受診システムの構成例を示す概念図である。
【図１Ｃ】本発明の一実施の形態である運転適性診断遠隔受診システムの構成の変形例である。
【図２Ａ】本発明の一実施の形態である運転適性診断遠隔受診システムのソフトウェア構成および作用の一例を示すシーケンス図である。
【図２Ｂ】本発明の一実施の形態である運転適性診断遠隔受診システムの作用の一例を示すシーケンス図である。
【図２Ｃ】本発明の一実施の形態である運転適性診断遠隔受診システムの作用の一例を示すシーケンス図である。
【図２Ｄ】本発明の一実施の形態である運転適性診断遠隔受診システムにて用いられるキャリブレーション情報の構成例を示す概念図である。
【図３】本発明の一実施の形態である運転適性診断遠隔受診システムの問診にて用いられる第１質問文テーブルの構成の一例を示す説明図である。
【図４】本発明の一実施の形態である運転適性診断遠隔受診システムの問診にて用いられる第２質問文テーブルの構成の一例を示す説明図である。
【図５】本発明の一実施の形態である運転適性診断遠隔受診システムの問診にて用いられる第３質問文テーブルの構成の一例を示す説明図である。
【図６】本発明の一実施の形態である運転適性診断遠隔受診システムの問診にて用いられる第４質問文テーブルの構成の一例を示す説明図である。
【図７】本発明の一実施の形態である運転適性診断遠隔受診システムの問診にて用いられる第５質問文テーブルの構成の一例を示す説明図である。
【図８】本発明の一実施の形態である運転適性診断遠隔受診システムの問診にて用いられる第６質問文テーブルの構成の一例を示す説明図である。
【図９】本発明の一実施の形態である運転適性診断遠隔受診システムの問診結果を評価する尺度別採点盤作成テーブルの一例を示す説明図である。
【図１０】本発明の一実施の形態である運転適性診断遠隔受診システムの問診結果を評価するための換算値算出テーブルの構成の一例を示す説明図である。
【図１１】本発明の一実施の形態である運転適性診断遠隔受診システムにおける総合的な診断結果を評価する総合所見判定テーブルの構成の一例を示す説明図である。
【図１２】本発明の一実施の形態である運転適性診断遠隔受診システムにおける平均見越反応時間計測テストを評価する平均見越反応時間換算値テーブルの構成の一例を示す説明図である。
【図１３】本発明の一実施の形態である運転適性診断遠隔受診システムにおける重複作業反応測定テストを評価する誤反応回数換算値テーブルの構成の一例を示す説明図である。
【図１４】本発明の一実施の形態である運転適性診断遠隔受診システムにおける処置判断測定テストを評価する注意の配分換算値テーブルの構成の一例を示す説明図である。
【図１５】本発明の一実施の形態である全体の作用の一例を示すフローチャートである。
【図１６】本発明の一実施の形態である運転適性診断遠隔受診システムの作用の一例を示すフローチャートである。
【図１７】本発明の一実施の形態である運転適性診断遠隔受診システムの作用の一例を示すフローチャートである。
【図１８】本発明の一実施の形態である運転適性診断遠隔受診システムの作用の一例を示すフローチャートである。
【図１９】本発明の一実施の形態である運転適性診断遠隔受診システムの作用の一例を示すフローチャートである。
【図２０】本発明の一実施の形態である運転適性診断遠隔受診システムの作用の一例を示すフローチャートである。
【図２１】本発明の一実施の形態である運転適性診断遠隔受診システムの作用の一例を示すフローチャートである。
【図２２】本発明の一実施の形態である運転適性診断遠隔受診システムの作用の一例を示すフローチャートである。
【図２３】本発明の一実施の形態である運転適性診断遠隔受診システムの作用の一例を示すフローチャートである。
【図２４】本発明の一実施の形態である運転適性診断遠隔受診システムの作用の一例を示すフローチャートである。
【図２５】本発明の一実施の形態である運転適性診断遠隔受診システムにおける問診装置の画面の一例を示す説明図である。
【図２６】本発明の一実施の形態である運転適性診断遠隔受診システムにおける実技診断装置の画面の一例を示す説明図である。
【図２７】本発明の一実施の形態である運転適性診断遠隔受診システムにおける適性診断票の生成処理の一例を示すフローチャートである。
【図２８】本発明の一実施の形態である運転適性診断遠隔受診システムにおいて出力される適性診断結果の一例を示す説明図である。
【図２９】本発明の一実施の形態である運転適性診断遠隔受診システムにおいて出力される適性診断結果の一例を示す説明図である。
【図３０】本発明の一実施の形態である運転適性診断遠隔受診システムにおいて出力される適性診断結果の一例を示す説明図である。
【符号の説明】
【０１７５】
１００  運転適性診断遠隔受診システム
１１０  運転適性診断遠隔受診端末
１２０  パーソナルコンピュータ（第２情報処理装置）
１２１  マイクロプロセッサ
１２２  主記憶
１２３  外部記憶装置
１２４  ネットワークインタフェース
１２５  汎用インタフェースコネクタ
１２６  ディスプレイ
１２６ａ  音声インタフェース
１２７ａ  左手ボタン
１２７ｂ  右手ボタン
１２７ｄ  はいボタン
１２７ｅ  いいえボタン
１２８  マウス
１２９  プリンタ
１３０  操作インタフェース
１３１  筐体
１３１ａ  マイクロコンピュータ
１３２  ステアリング
１３３ａ  アクションボタン
１３３ｂ  デシジョンボタン
１３４  ペダル台
１３５  アクセルペダル
１３６  ブレーキペダル
１３７  ペダル接続ケール
１３８  汎用インタフェースケーブル
１４０  自動診断プログラム
１４１  診断情報登録・保持機能
１４２  診断結果処理機能
１４３  診断進行監視機能プログラム
１５０  第１診断テストプログラム
１５１  診断申込処理機能
１５２  問診テスト機能
１６０  第２診断テストプログラム
１６１  実技テスト機能
１６２  自動助言機能
１７０  診断端末プログラム
１７１  情報表示プログラム
１７２  操作インタフェース制御プログラム
２１０  質問ファイル
２１０ａ  質問番号
２１０ｂ  質問文
２１０ｃ  応答別配点値
２１１  第１質問文テーブル
２１２  第２質問文テーブル
２１３  第３質問文テーブル
２１４  第４質問文テーブル
２１５  第５質問文テーブル
２１６  第６質問文テーブル
２２０  尺度別採点盤作成テーブル
２２１  尺度項目
２２２  該当質問番号
２２３  応答別配点部
２３０  換算値算出テーブル
２３１  尺度名
２３２  換算値（第１換算値）
２４０  総合所見判定テーブル
２４１  総合判定分類
２４２  総合所見記載文章
２４３  判定基準
２５０  平均見越反応時間換算値テーブル
２５１  反応時間区分
２５２  判定
２５３  換算値（第２換算値）
２６０  誤反応回数換算値テーブル
２６１  誤反応回数
２６２  信号音誤反応回数
２６３  換算値（第２換算値）
２７０  注意の配分換算値テーブル
２７１  誤数総計値
２７２  換算値（第２換算値）
２８０  診断結果マスタファイル
２９０  キャリブレーション情報ファイル（制御情報記憶手段）
２９０ａ  キャリブレーションデータ（機能仕様情報）
２９１  操作インタフェースＩＤ
２９２  左手ボタン情報
２９３  右手ボタン情報
２９４  はいボタン情報
２９５  いいえボタン情報
２９６  アクセルペダル踏み込み幅
２９７  ブレーキペダル踏み込み幅
２９８  ハンドル回転範囲
３１１  質問欄
３１２  はいボタン
３１３  いいえボタン
３１４  どちらでもないボタン
３２１  移動路
３２２  遮蔽部
３２３  移動体
５００  サーバ装置（第１情報処理装置）
５１０  ウェブサーバ
５２０  アプリケーションサーバ
５３０  データベースサーバ
５４０  記憶装置
５５１  ルータ
５５２  負荷分散装置
５５３  ネットワークスイッチ
５５４  情報ネットワーク
６００  インターネット
６１０  公衆網
８００  支所サイト
８０１  情報ネットワーク
８０２  ハブ
８０３  外部ネットワークインタフェース
８１０  診断サーバ（第１情報処理装置）
９００  ハードウェアキー
Ｍ１  平均見越反応時間計測テスト
Ｍ２  重複作業反応測定テスト
Ｍ３  処置判断測定テスト
Ｐ  受診者
【図１Ａ】
2008191585.tif 000003
【図２Ａ】
2008191585.tif 000004
【図２Ｄ】
2008191585.tif 000005
【図３】
2008191585.tif 000006
【図４】
2008191585.tif 000007
【図５】
2008191585.tif 000008
【図６】
2008191585.tif 000009
【図７】
2008191585.tif 000010
【図８】
2008191585.tif 000011
【図９】
2008191585.tif 000012
【図１０】
2008191585.tif 000013
【図１１】
2008191585.tif 000014
【図１２】
2008191585.tif 000015
【図１３】
2008191585.tif 000016
【図１４】
2008191585.tif 000017
【図１６】
2008191585.tif 000018
【図１７】
2008191585.tif 000019
【図１８】
2008191585.tif 000020
【図１９】
2008191585.tif 000021
【図２０】
2008191585.tif 000022
【図２１】
2008191585.tif 000023
【図２２】
2008191585.tif 000024
【図２３】
2008191585.tif 000025
【図２４】
2008191585.tif 000026
【図２５】
2008191585.tif 000027
【図２６】
2008191585.tif 000028
【図２７】
2008191585.tif 000029
【図２８】
2008191585.tif 000030
【図２９】
2008191585.tif 000031
【図３０】
2008191585.tif 000032
【図１Ｂ】
2008191585.tif 000033
【図１Ｃ】
2008191585.tif 000034
【図２Ｂ】
2008191585.tif 000035
【図２Ｃ】
2008191585.tif 000036
【図１５】
2008191585.tif 000037